(57)【要約】【課題】表示部の輝度低下を抑制する。【解決手段】給湯装置は、給湯器１ａと、給湯器に関する情報を表示するための表示部８と、表示部の表示を制御する制御部７と、を備え、制御部は、表示部の表示を制御する表示制御信号を生成する信号生成手段と、給湯器に電源供給される期間において、表示制御信号により、表示部を第１輝度で表示させる手段と、電源供給される期間において、給湯器内で予め定めた通水流量を検知したときは、表示制御信号により、表示部を第１輝度よりも高い第２輝度で表示させる手段と、を含む。【選択図】図１
2015124892.tif 000002
【特許請求の範囲】
【請求項１】
給湯器と、
前記給湯器に関する情報を表示するための表示部と、
前記表示部の表示を制御する制御部と、を備え、
前記制御部は、
前記表示部の表示を制御する表示制御信号を生成する信号生成手段と、
前記給湯器に電源供給される期間において、前記表示制御信号により、前記表示部を第１輝度で表示させる手段と、
前記電源供給される期間において、給湯器内で予め定めた通水流量を検知したときは、表示制御信号により、前記表示部を第１輝度よりも高い第２輝度で表示させる手段と、を含む、給湯装置。
【請求項２】
前記給湯装置は、前記表示部を覆うように開閉自在のパネル部材が取り付けられ、
前記制御部は、
前記パネル部材の開閉状態を検知する手段を含み、
前記電源供給される期間において前記第２輝度で制御する場合に、前記パネル部材が開状態であることを検知するときは、前記表示制御信号により、前記表示部を、前記第２輝度から第１輝度に切替えて表示させるように制御する、請求項１に記載の給湯装置。
【請求項３】
前記制御部は、
前記表示部の明るさを検知するための明るさ検知手段を含み、
前記電源供給される期間において、前記明るさ検知手段の出力から、前記表示部が予め定めた明るさであると判定したとき、前記表示部を第２輝度で表示させるように制御する、請求項１または２に記載の給湯装置。
【請求項４】
前記制御部は、
前記電源供給される期間のうち予め定めた時間において、前記表示部を第２輝度で表示させるように制御する、請求項１から３のいずれか１項に記載の給湯装置。
【請求項５】
前記表示制御信号は、パルス状の信号を示し、
前記信号生成部は、
表示される情報の種類に基づき、前記表示制御信号のパルス幅およびパルス周期の少なくとも１つを変更する、請求項１から４のいずれか１項に記載の給湯装置。
【請求項６】
前記給湯器は筐体を有し、前記表示部は当該筐体に内蔵される、請求項１から５のいずれか１項に記載の給湯装置。
【発明の詳細な説明】
【技術分野】
【０００１】
本発明は給湯装置に関し、特に、表示部を備える給湯装置に関する。
【背景技術】
【０００２】
給湯装置は、本体の正面部にＬＥＤ（Light Emitting Diode）で構成された表示部を備え、表示部に給湯装置の異常を報知するためのエラーコード等、メンテナンスのために必要な情報を表示する構成のものがあった。表示部には、設計上１２年の寿命が要求されているが、ＬＥＤは経年的に、すなわち流れる積算電流量により輝度が低下してしまうために、輝度が低下するのを抑制する技術が求められている。
【０００３】
特許文献１（特開２００３−１９４３９６号公報）では、給湯装置本体に７ＳＥＧＬＥＤで構成された表示部を内蔵し、表示部をメンテナンスモニタとして用いる構成が示される。特許文献２（特開２００６−６４２７５号公報）では、入力操作を受け付けてから所定時間が経過すると表示手段の輝度を低下させる構成が示される。特許文献３（特開２００６−３３０１５８号公報）では、ＬＥＤの累積点灯時間に基づいてＬＥＤ駆動信号のデューティ比を制御する構成が示される。
【先行技術文献】
【特許文献】
【０００４】
【特許文献１】特開２００３−１９４３９６号公報
【特許文献２】特開２００６−６４２７５号公報
【特許文献３】特開２００６−３３０１５８号公報
【発明の概要】
【発明が解決しようとする課題】
【０００５】
しかしながら、従来の方法であっても、輝度低下を十分に抑制することは困難であった。それゆえに、本発明の目的は、表示部の輝度低下を抑制することのできる給湯装置を提供することである。
【課題を解決するための手段】
【０００６】
この発明のある局面に従う給湯装置は、給湯器と、給湯器に関する情報を表示するための表示部と、表示部の表示を制御する制御部と、を備え、制御部は、表示部の表示を制御する表示制御信号を生成する信号生成手段と、給湯器に電源供給される期間において、表示制御信号により、表示部を第１輝度で表示させる手段と、電源供給される期間において、給湯器内で予め定めた通水流量を検知したときは、表示制御信号により、表示部を第１輝度よりも高い第２輝度で表示させる手段と、を含む。
【０００７】
好ましくは、給湯装置は、表示部を覆うように開閉自在のパネル部材が取り付けられ、制御部は、パネル部材の開閉状態を検知する手段を含み、電源供給される期間において第２輝度で制御する場合に、パネル部材が開状態であることを検知するときは、表示制御信号により、表示部を、第２輝度から第１輝度に切替えて表示させるように制御する。
【０００８】
好ましくは、制御部は、表示部の明るさを検知するための明るさ検知手段を含み、電源供給される期間において、明るさ検知手段の出力から、表示部が予め定めた明るさであると判定したとき、表示部を第２輝度で表示させるように制御する。
【０００９】
好ましくは、制御部は、電源供給される期間のうち予め定めた時間において、表示部を第２輝度で表示させるように制御する。
【００１０】
好ましくは、表示制御信号は、パルス状の信号を示し、信号生成部は、表示される情報の種類に基づき、表示制御信号のパルス幅およびパルス周期の少なくとも１つを変更する。
【００１１】
好ましくは、給湯器は筐体を有し、表示部は当該筐体に内蔵される。
【発明の効果】
【００１２】
本発明によれば、給湯器に電源供給される通常の期間においては、第１輝度で表示させておき、給湯器内で予め定めた通水流量を検知したときは、第１輝度よりも高い第２輝度で表示させることで、表示部が長時間にわたり高い輝度で情報表示することを防止して、輝度低下を抑制することができる。
【図面の簡単な説明】
【００１３】
【図１】本実施の形態に従う給湯システムの概略構成を示すブロック図である。
【図２】本発明の実施の形態に係る給湯器の筐体のフロントパネル側からみた外観図である。
【図３】この発明の実施の形態に係る制御部の機能構成図である。
【図４】本発明の実施の形態に係る表示部の概略構成図である。
【図５】本発明の実施の形態に係るパルス信号を示す図である。
【図６】本発明の実施の形態に係る表示制御のための処理フローチャートである。
【図７】本発明の実施の形態に係る表示例を示す図である。
【図８】本発明の実施の形態に係る輝度切替えの条件を説明するための図である。
【発明を実施するための形態】
【００１４】
以下に、本発明の実施の形態について図面を参照して詳細に説明する。なお、以下では、図中の同一または相当部分には同一符号を付して、その説明は原則的に繰返さないものとする。
【００１５】
（システム構成と給湯運転）
図１は、本実施の形態に従う給湯システム１の概略構成を示すブロック図である。図１を参照して、給湯システム１は、給湯器１ａ内に給湯機能を実現するための給湯回路２を備える。なお、追焚のための追焚循環回路、ドレン処理回路等を追加して備えてもよく、その場合であっても、本実施の形態を適用することができる。
【００１６】
給湯回路２は、バーナ２０と、給湯用の一次熱交換器２１および二次熱交換器２４とを含む。バーナ２０は、図示しない燃料供給系から流量調整弁を経由した燃料ガスの供給を受けて、燃焼作動するように構成される。
【００１７】
一次熱交換器２１は、バーナ２０の燃焼ガスの顕熱（燃焼熱）により入水を熱交換によって加熱する。給湯回路２へは、入水路２２から水道水等が給水される。二次熱交換器２４は、たとえば、排気集合筒内に配設される。二次熱交換器２４は、バーナ２０からの燃焼排ガスの潜熱によって通流された水を熱交換によって加熱する。
【００１８】
入水路２２の水は、まず二次熱交換器２４によって予熱された後、一次熱交換器２１において主加熱される。一次熱交換器２１および二次熱交換器２４によって所定温度（たとえば、ユーザによる設定温度）まで加熱された湯は、出湯路２３から出湯される。給湯システム１は、出湯路２３に出湯された湯が、台所や浴室の給湯栓２５等の所定の給湯箇所に給湯されるように構成される。
【００１９】
二次熱交換器２４は、潜熱回収用熱交換器を構成する。さらに、入水路２２には、流量センサ２６や入水温度センサ２７が介装される。出湯路２３には、流量制御弁２８や給湯温度センサ２９が介装される。
【００２０】
給湯器１ａ内には、給湯システム１自体を制御するためのＭＰＵ（Micro Processing Unit）７１を含む制御部７、制御部７に接続される液晶，ＬＥＤ等からなる表示部８、ユーザ操作を受け付けるための操作受付け部に相当するスイッチ９、およびセンサ１０を備える。センサ１０は、表示部８に関連して設けられて、表示部８の周囲の明るさ、より特定的に表示部８の表示面の明るさを測定するための照度センサ等を含む。
【００２１】
制御部７には、電源プラグ１２が接続される。電源プラグ１２は、図示しない商用電源のコンセントに接続されて、制御部７は電源プラグ１２を介して電力を受けて、給湯システム１内の各部に供給する。
【００２２】
図２は、本発明の実施の形態に係る給湯器１ａの筐体のフロントパネル側からみた外観図である。フロントパネル２Ａは、給湯器１ａに、表示部８を含む内部を覆うように筐体開口部に開閉自在に取り付けられる板状の部材である。フロントパネル２Ａの端部は、ビス留めにより給湯器１ａの本体に接続される。フロントパネル２Ａの一部には、表示部を確認するための窓８１が形成されており、ユーザは、フロントパネル２Ａが閉じられている場合でも、窓８１を介して内部にある表示部８の表示情報を確認することができる。
【００２３】
次に、給湯システム１の動作について、通常の給湯運転制御を例示して説明する。制御部７は、給湯栓２５が開かれることにより、最低作動流量（以下、ＭＯＱともいう）以上の予め定めた通水流量があったことを、流量センサ２６の検知出力から判定すると、給湯運転制御を開始する。給湯運転制御では、制御部７は図示しないリモコン（リモートコントローラの略）に設定された設定給湯温度と、給湯温度センサ２９が検出する出湯温度が同等となるように、バーナ２０の燃焼の動作を制御する。これにより、出湯温度が設定給湯温度を示すように、入水は加熱される。
【００２４】
（機能構成）
図３は、この発明の実施の形態に係る制御部７の機能構成図である。図３を参照して、制御部７は、ＭＰＵ７１が有する機能と、ＭＰＵ７１に情報を与えるための入力インターフェイス７２、出力制御部７３、表示部８の表示動作を制御するための表示制御部７４、プラグラムおよびデータを記憶するためのＲＯＭ（Read Only Memory）およびＲＡＭ（Random Access Memory）等を含む記憶部７５、および時間を計測するためのタイマー７６を備える。
【００２５】
入力インターフェイス７２は、スイッチ９からの操作内容に基づく指示信号、センサ１０の明るさ測定値、流量センサ２６からの検知流量値、ならびに入水温度センサ２７および給湯温度センサ２９からの検知温度を示す信号（電流、または電圧）を入力し、デジタルデータに変換して、ＭＰＵ７１に出力する。出力制御部７３はＭＰＵ７１からの弁開閉指示に基づく制御信号を生成し、流量制御弁２８に出力する。これにより、流量制御弁２８の開閉の程度が可変に制御されて、流量が制御される。
【００２６】
ＭＰＵ７１は、センサ１０からの明るさ測定値に基づく判定をするための明るさ判定部７２Ａ、表示部８の表示輝度を決定するための輝度決定部７３Ａ、輝度を低下させるか否かを判定するための判定部７４Ａ、および表示すべき情報に基づき表示用信号を生成する信号生成部７５Ａを含む。表示制御部７４は信号生成部７５Ａからの表示用信号に基づき、表示部８のＬＥＤ等の点灯を制御するための表示制御信号を生成し、表示部８に出力する。表示部８の駆動回路は、表示制御信号に基づき、ＬＥＤ等の点灯／消灯を制御する。
【００２７】
（表示部の構成）
図４は、本発明の実施の形態に係る表示部８の概略構成図である。図５は、本発明の実施の形態に係るパルス信号を示す図である。図４を参照して、表示部８は、３個のセグメント部９１、９２および９３と、各セグメント部に接続されたスイッチ８１〜８３とを含む。セグメント部９１〜９３のそれぞれは、７個のＬＥＤを「日」の字に並べて構成されて、例えば３桁の数値を表現することができる。セグメント部９１〜９３の各ＬＥＤをセグメントと呼び、７つのＬＥＤで１つの数字を表現し、７セグメントＬＥＤとも呼ぶ。また、小数点などを表現するために、各セグメント部は、点表示ＬＥＤ（dot）も備える。
【００２８】
表示制御信号は、各セグメント部の計８個の各ＬＥＤを個別に点灯させるための選択制御信号と、セグメント部９１〜９３の１つ以上に選択的に定格電圧（５Ｖ）を供給するための電圧制御信号とからなる。
【００２９】
動作において、スイッチ８１〜８３は、表示制御部７４からの電圧制御信号によりＯＮ／ＯＦＦに切換制御される。ＯＮに設定されると、当該スイッチを介して対応のセグメント部に電源（５Ｖ）が供給されて点灯可能となるが、ＯＦＦに設定されると対応のセグメント部には電源（５Ｖ）が供給されず点灯不可能となる。また、各セグメント部は表示制御部７４からの選択制御信号に基づき選択されたＬＥＤのみに、電圧が印加される。このように、電圧制御信号により電圧が供給されるセグメント部において、選択制御信号により選択されたＬＥＤのみが点灯する。
【００３０】
ここで、選択制御信号は、図５に示すように予め定めた周期，パルス幅を有したパルス信号であって、ＬＥＤに流れる積算電流量を可変制御する信号を示す。本実施の形態では、選択制御信号のパルス周期またはパルス幅を可変にすることで、ＬＥＤの点灯時間を調整し、すなわち輝度を可変制御してＬＥＤの使用可能期間である寿命を長くする。選択制御信号は、通常点灯時は図５（Ａ）のパルス波形を示し、輝度低下対策のための低輝度点灯時は図５（Ｂ）のパルス波形を示す。
【００３１】
図５では、３桁の７セグメントＬＥＤを、１つずつ順番に高速で点灯させるダイナミックスキャン制御を行なうための信号パターンが示される。基本動作として、信号生成部７５Ａは、表示部８のスイッチ８１〜８３を選択的にＯＮ／ＯＦＦ操作し、１ｍｓ毎に点灯させる桁を切替えるが、“メンテナンスモニタ”のための情報、または“ガス調圧”のための情報を表示する場合は、予め点灯時間を短くする。例えば、信号生成部７５Ａは、１ｍｓＯＮの後、１ｍｓ全桁ＯＦＦの表示用信号を生成する。なお、ＯＦＦ時間は１ｍｓに限定されず、表示情報の種類によって２ｍｓ、または３ｍｓなどに変更する。このように、表示される情報の種類に基づき、表示制御部７４はパルス幅およびパルス周期の少なくとも１つが変更された表示制御信号を表示部８に出力する。
【００３２】
（処理フローチャート）
図６は、本発明の実施の形態に係る表示制御のための処理フローチャートである。このフローチャートは、予めプラグラムとして記憶部７５に格納され、ＭＰＵ７１が記憶部７５からこのプログラムを読出し実行することにより処理が実現される。なお、ここではプログラムにより実現するとしているが、プログラムと回路の組合せにより実現されるとしてもよい。この処理では、表示部８のＬＥＤは通常輝度と低輝度（通常輝度よりも低い輝度）のいずれかで点灯する。なお、現在、通常輝度または低輝度のいずれで点灯しているかを示す輝度データは、輝度決定部７３Ａが輝度を決定する毎に、決定した輝度データをＭＰＵ７１のバッファメモリ（図示せず）に格納すると想定する。
【００３３】
図５を参照して、通常時は、信号生成部７５Ａは、予め定めた低輝度で点灯されるような表示用信号を生成し出力する（ステップＳ３）。表示制御部７４は、当該表示用信号から低輝度のパルス周期およびパルス幅を有した選択制御信号を生成して出力する。したがって、表示部８の各セグメント部は、低輝度でＬＥＤが点灯する。
【００３４】
輝度決定部７３Ａは、通常輝度に切替えるための予め定めた開始条件が成立するか否かを判定する（ステップＳ５）。成立しないと判定すると（ステップ５でＮＯ）、Ｓ３に戻る。成立すると判定すると（ステップＳ５でＹＥＳ）、輝度決定部７３Ａは、低輝度から通常輝度に切替えると決定する。この決定に基づき、信号生成部７５Ａは、通常輝度のための表示用信号を生成し出力する（ステップＳ７）。表示制御部７４は、表示用信号に基づく表示制御信号を生成し出力する。これにより、表示部８の各ＬＥＤは表示制御信号に従って低輝度から通常輝度に切替る。
【００３５】
その後、輝度決定部７３Ａは、予め定めた通常輝度の終了条件が成立しているか否かを判定する（ステップＳ９）。成立しないと判定すると（ステップＳ９でＮＯ）、Ｓ９の処理が繰返される。
【００３６】
条件成立と判定すると（ステップＳ９でＹＥＳ）、輝度決定部７３Ａは、通常輝度から低輝度に切替えると決定する。この決定に基づき、信号生成部７５Ａは、低輝度のための表示用信号を生成し出力する（ステップＳ３）。表示制御部７４は、表示用信号に基づく表示制御信号を生成し出力する。これにより、表示部８の各ＬＥＤは表示制御信号に従って通常輝度から低輝度に切替る。以降は、同様の処理が繰返される。
【００３７】
なお、通常輝度および低輝度のそれぞれに対応するパルス周期およびパルス幅を示すデータは、予め記憶部７５に格納されており、信号生成部７５Ａは当該データを示す表示用信号を生成する。
【００３８】
（表示例）
図７は、本発明の実施の形態に係る表示例を示す図である。図７（Ａ）は点表示ＬＥＤ（dot）のみを点灯させて、バーナ２０が燃焼状態にあることを報知する。図７（Ｂ）は、３桁のエラーコードを表示してエラーを報知する。図７（Ｃ）は、出湯路２３および給湯栓２５を介し出湯中であることを報知する。図７（Ｄ）は、２桁のエラーコードを示す。このような、ＬＥＤ点灯による情報を、通常輝度または低輝度で報知することができる。
【００３９】
（輝度切替え条件）
図８は、本発明の実施の形態に係る輝度切替えの条件を説明するための図である。本実施の形態では、判定部７４Ａが、電源プラグ１２から電力供給が開始されたことを判定すると、判定結果に基づき輝度決定部７３Ａは通常輝度と決定する。これにより、表示部８は通常輝度で点灯する。
【００４０】
電源投入時は設定温度を表示してユーザに報知するために、電源投入から予め定めた時間長さの期間Ｔ１は通常輝度で点灯する。輝度決定部７３Ａは、タイマー７６の計時に基づき当該予め定めた時間が経過したと判定すると、低輝度に切替えると決定する。したがって、表示部８は通常輝度から低輝度の点灯に切替る。
【００４１】
また、低輝度の状態において、判定部７４Ａが流量センサ２６の検知流量値からＭＯＱ以上の通水があったものと判定すると、判定結果に基づき輝度決定部７３Ａは通常輝度と決定する。これにより、図７（Ｃ）の情報は通常輝度で報知される。ＭＯＱの検出開始後から予め定めた期間（例えば、１分）Ｔ２は通常輝度に制御されることにより、表示部８はＭＯＱが検出されてから期間Ｔ２において、シャワー、キッチン等で湯が使用されていることを通常輝度により報知することができる（図８（Ａ）を参照）。
【００４２】
このようにして、電源供給されているときは、ＭＯＱが検出されてから期間Ｔ２のみ通常輝度に復帰させ、原則的には低輝度である。これにより、ＬＥＤに流れる積算電流量は低減し、ＬＥＤの長寿命使用が可能となる。
【００４３】
（輝度切替え条件の変形例）
上述した通常輝度の期間Ｔ１またはＴ２であっても、判定部７４Ａがフロントパネル２Ａは開状態であると判定する期間は、輝度決定部７３Ａは低輝度と判定する。つまり、メンテナンスモニタ中、またはガス調圧中等はフロントパネル２Ａを開けた状態となることから、ＭＯＱが検出されるとしても通常輝度は必要なく、低輝度に切替る（図８（Ａ）のパネル外しの期間を参照）。なお、本実施の形態では、フロントパネル２Ａの開状態／閉状態の別は、判定部７４Ａがスイッチ９のユーザ操作に基づく指示から判定する。
【００４４】
また、判定部７４Ａは、入力インターフェイス７２の入力から、エラー（異常高温等）が発生したと判定したときは、輝度決定部７３Ａはエラー発生から予め定めた期間（例えば、１０分）は通常輝度と決定し、表示部８は通常輝度で点灯する。その後、低輝度に戻る。これにより、ユーザはエラー情報を通常輝度で確認することができる。
【００４５】
このように、報知する情報の種類（電源投入、ＭＯＱ、エラー等）に応じて通常輝度とする期間を可変にすることで、重要な情報ほど、長期間、通常輝度で表示させることもできる。
【００４６】
（輝度切替え条件の更なる変形例）
本実施の形態では、給湯器１ａが設置される環境、より特定的には表示部８の周囲環境の明るさ条件によって、表示輝度を可変に調整する。具体的には、給湯器１ａが屋外に設置される場合には、窓８１から表示部８に外光（太陽光、電灯光等）が照射されるため、ユーザは表示情報を視認することが難しくなる。
【００４７】
このような環境の下での表示情報の視認性を改善するために、明るさ判定部７２Ａの判定結果に基づき輝度の切替えが実施される。つまり、明るさ判定部７２Ａは、センサ１０からの明るさ測定値と予め定めた閾値とを比較し、比較結果から（明るさ測定値＞閾値）の条件が成立するか否かを判定し、その判定結果を輝度決定部７３Ａに出力する。なお、閾値は実験等から取得された値であって、可変である。
【００４８】
輝度決定部７３Ａは、明るさ判定部７２Ａからの判定結果と、ＭＰＵ７１のバッファメモリの輝度データとから、輝度を決定する。具体的には、現在の輝度が通常輝度である場合に、当該判定結果が上記条件の成立を示すときは通常輝度と決定する。したがって、輝度切替えは実施されない。一方、現在の輝度が低輝度である場合に、当該判定結果が上記条件の成立を示すときは通常輝度と決定する。したがって、表示部８は低輝度から通常輝度に切替えられて（図８（Ｂ）を参照）、外光が照射される下でも表示情報を適切に視認することができる。なお、明るさ判定部７２Ａの判定結果が上記条件の不成立を示すときは、すなわち外光が差し込まない下では、情報の視認性が損なわれる可能性は低い。したがって、輝度の切替えは実施されず、現在の輝度が維持される。
【００４９】
なお、センサ１０の測定照度に基づく明るさ判定に代替して、時間の判定を利用してもよい。つまり、タイマー７６が計時する予め定めた時間（例えば、給湯器１ａのフロントパネル２Ａに太陽光が当たる時間帯）において、表示部８を第２輝度で表示させるように制御する。この時間による判定は、センサ１０の出力に基づく判定と組合わせてもよい。本実施の形態では、時刻を計時する手段として、タイマー７６に代えて、例えば、リアルタイムクロック等を備えても良い。
【００５０】
（実施の形態の効果）
表示部８に用いられる７セグメントＬＥＤには輝度寿命があり、点灯時間５００時間で輝度が８０％まで低下し、１万時間で６０％まで低下する。その一方で、給湯器の寿命は一般的に１０年以上の設計とされており、表示部の１２年の寿命を求められているため、極力、輝度低下を防止する制御が必要となっていたが、本実施の形態によれば、給湯器１ａの運転状況、表示する情報の種類によって輝度を可変に変更することで、当該要求に応えることが可能となる。
【００５１】
また、給湯単機能の給湯器に関しては、日本ではＲＣ（リモートコントローラの略）を接続せずに（以下、ＲＣレス）使用されることが多いが、米国では基本的にＲＣ接続を行なって使用する。つまり、米国では給湯器が故障した場合、広大な国土のため簡単に現場を訪問することができないため、メンテナンスは、ユーザからの電話に対して事務所で対応を検討する。したがって、米国では、給湯器に接続したＲＣにエラーコードを表示し、ユーザが故障状況を特定して報知するのを容易にしているが、ＲＣを無くしてコストダウンするために、給湯器に表示部を一体的に搭載したいとの要求があった。
【００５２】
本実施の形態の給湯器１ａは、輝度調整される表示部８を一体的に備えることで、当該要求に応えつつ、長寿命化を実現することが可能となる。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５４】
１  給湯システム、１ａ  給湯器、２Ａ  フロントパネル、７  制御部、８  表示部、１０  センサ、１２  電源プラグ、７２Ａ  明るさ判定部、７３Ａ  輝度決定部、７４  表示制御部、７４Ａ  判定部、７５  記憶部、７５Ａ  信号生成部、７６  タイマー、８１  窓、９１〜９３  セグメント部。
【図１】
2015124892.tif 000003
【図２】
2015124892.tif 000004
【図３】
2015124892.tif 000005
【図４】
2015124892.tif 000006
【図５】
2015124892.tif 000007
【図６】
2015124892.tif 000008
【図７】
2015124892.tif 000009
【図８】
2015124892.tif 000010